(57)【要約】  本発明の様々な実施形態は、核磁気共鳴画像化スキャナー（２）を有するとともに、ＭＲＩ検査の間に少なくとも１種類の液を注射するための注射器ヘッド（４）を備える注射器具（３）を有するＭＲＩシステム（１）に関するものである。本発明の様々な実施形態によれば、核磁気共鳴画像化スキャナー（２）に取り付けられるかあるいは取り外し可能に取り付けることのできる注射器具（３）についての対策がなされている。
2009526623.tif 000002
【特許請求の範囲】
【請求項１】
核磁気共鳴画像化スキャナー（２）を有するとともに、ＭＲＩ検査の間に少なくとも１種類の液を注射するための注射器ヘッド（４）を備える注射器具（３）を有し、注射器具（３）は、核磁気共鳴画像化スキャナー（２）に取り付けられているかあるいは取り外し可能に取り付けられている、医療用画像化システム（１）。
【請求項２】
注射器具（３）は、注射器ヘッド（４）が、核磁気共鳴画像化スキャナー（２）の端部に設けられるように、かつ、核磁気共鳴画像化スキャナー（２）に画定されたトンネル開口に関して少なくとも実質的に半径方向に位置調整されているかあるいは位置調整することができるように、核磁気共鳴画像化スキャナー（２）に取り付けられて配置されている、請求項１に記載の医療用画像化システム。
【請求項３】
注射器ヘッド（４）は、核磁気共鳴画像化スキャナー（２）に対して旋回することが可能となっている、請求項１または２に記載の医療用画像化システム。
【請求項４】
注射器ヘッド（４）は、少なくとも実質的に水平に延びている第１旋回軸（Ｘ）の周りに、および／または、少なくとも実質的に垂直に延びている第２旋回軸（Ｙ）の周りに旋回することが可能となっている、先行する請求項の一項に記載の医療用画像化システム。
【請求項５】
注射器ヘッド（４）は、第１旋回軸（Ｘ）の周りに０度〜３６０度の角度範囲で、および／または、第２旋回軸（Ｙ）の周りに９０度を超える角度範囲で、特に０度〜１８０度の角度範囲で旋回することが可能となっている、先行する請求項の一項に記載の医療用画像化システム。
【請求項６】
注射器具（３）は、核磁気共鳴画像化スキャナー（２）に取り付けられ、あるいは取り外し可能に取り付けられた注射器ハウジング（１４）を備えている、先行する請求項の一項に記載の医療用画像化システム。
【請求項７】
注射器具（３）は、核磁気共鳴画像化スキャナー（２）に接着接合されている、先行する請求項の一項に記載の医療用画像化システム。
【請求項８】
少なくとも１つの取付部品（１５）が、核磁気共鳴画像化スキャナー（２）に取り付けられており、好ましくは接着接合されており、かつ、取り外し可能な取付の目的のために、注射器ハウジング（１４）に設けられたさらに別の取付部品と相互作用するようになっている、先行する請求項の一項に記載の医療用画像化システム。
【請求項９】
取付部品（１５）およびさらに別の取付部品は、プラグ接続および／またはラッチ接続を形成するために協働している、先行する請求項の一項に記載の医療用画像化システム。
【請求項１０】
取付部品（１５）が、ＭＲＩの端部で機械加工することができるプラスチック製ブロックおよび／または非磁性材料から構成されたブロックからなっている、先行する請求項の一項に記載の医療用画像化システム。
【請求項１１】
注射器ハウジング（１４）は、核磁気共鳴画像化スキャナー（２）の側面区域（１９）において垂直に延びているハウジング部分（２０）と、核磁気共鳴画像化スキャナー（２）の端面（１３）の区域の中へ傾斜しているハウジングアーム（２１）とを備え、注射器ヘッド（４）は、ハウジングアーム（２１）に操作可能に係合している、先行する請求項の一項に記載の医療用画像化システム。
【請求項１２】
垂直に延びているハウジング部分（２０）とハウジングアーム（２１）との間には、水平に延びているハウジング部分（２２）が設けられている、先行する請求項の一項に記載の医療用画像化システム。
【請求項１３】
注射器ヘッド（４）とハウジングアーム（２１）との間に配置されて第１旋回軸（Ｘ）の周りに旋回するために構成された第１継手、および／または、水平に延びているハウジング部分（２２）とハウジングアーム（２１）との間に配置されて第２旋回軸（Ｙ）の周りに旋回するための第２継手をさらに備えている、先行する請求項の一項に記載の医療用画像化システム。
【請求項１４】
注射のための駆動装置（２６）が注射器ハウジング（１４）の中に収容されているとともに、該駆動装置（２６）を収容する注射器ハウジング（１４）の一部が核磁気共鳴画像化スキャナー（２）の側面区域に配置されている、先行する請求項の一項に記載の医療用画像化システム。
【請求項１５】
駆動装置（２６）は、油圧駆動装置および空気圧駆動装置のうちの少なくとも１つからなっている、先行する請求項の一項に記載の医療用画像化システム。
【請求項１６】
駆動装置（２６）は、注射器ハウジング（１４）の下方区域に配置されているとともに、注射器ハウジング（１４）は好ましくは、取付状態にあるときに床の上に立っている、先行する請求項の一項に記載の医療用画像化システム。
【請求項１７】
複数の液管および／または供給管が、実質的に注射器ハウジング（１４）の内部に、および／または、実質的に注射器ヘッド（４）のハウジングの内部に配置されている、先行する請求項の一項に記載の医療用画像化システム。
【請求項１８】
注射される液および／またはノズルのための少なくとも１つの収容区域（３２，３３）が注射器ハウジング（１４）の中に設けられている、先行する請求項の一項に記載の医療用画像化システム。
【請求項１９】
収容区域（３２，３３）は、閉鎖可能な蓋（３４，３５）を備えている、先行する請求項の一項に記載の医療用画像化システム。
【請求項２０】
注射器ヘッド（４）のハウジングおよび注射器ハウジング（１４）は、非磁性材料から構成されている、先行する請求項の一項に記載の医療用画像化システム。
【発明の詳細な説明】
【技術分野】
【０００１】
本発明は一般に、核磁気共鳴画像化スキャナーと注射器具とが備わっているＭＲＩシステムであって、その注射器具が、ＭＲＩ検査の間に少なくとも１種類の液を注射するための注射器ヘッドを含むＭＲＩシステムに関する。
【背景技術】
【０００２】
具体的には、核磁気共鳴画像化（ＭＲＩ）走査の分野では、ＭＲＩ装置が患者の内部器官および血管を診断する目的のために使用することのできる走査を生じさせることが可能であるように造影剤を注射するために用いられる注射器具が使用されている。公知の注射器具は一般に、ＭＲ室における核磁気共鳴画像化スキャナーからいくらかの距離をおいて配置されている。一方では、この狙いは、注射器具の操作が画質、すなわちＭＲＩシステムの走査特性に悪影響を及ぼさないことを保証しようとするためである。他方では、これらの注射器には通常、核磁気共鳴画像化スキャナーの操作の間に使用される磁性材料が包含されているため、これらの注射器は、安全上の理由により、その核磁気共鳴画像化スキャナーから引き離されている。しかしながら、注射器具と核磁気共鳴画像化スキャナーとの間の距離によって、その注射器具のヘッドから患者までの間に比較的長い液管が同時に必要になり、また、このことに対応して、患者ごとに注射しなければならない大量の液体が必要になる。さらにまた、注射器具から核磁気共鳴画像化スキャナーまで延びている比較的長い管によって、ＭＲＩ検査の間にＭＲ室にいる医療関係者の作業が妨げられることになる。
【発明の開示】
【発明が解決しようとする課題】
【０００３】
本発明の目的は、従来技術における公知のシステムに関連して生じる前記欠点を回避することである。
【課題を解決するための手段】
【０００４】
本発明の様々な実施形態によれば、前記目的は、注射器具を医療用画像化スキャナーに取り付け、および／または、取り外し可能に取り付けることによって、医療用画像化システム（例えばＭＲＩシステムのような）の事例において達成されることになる。本発明の様々な実施形態によれば、注射器具が核磁気共鳴画像化スキャナーの直近に配置されており、および／または、そこに取り付けられているＭＲＩシステムが初めて提供されている。これによって、注射器具と核磁気共鳴画像化スキャナーとの間にしっかりした結合関係がもたらされることになる。このことによって、多数の顕著な利点もまたもたらされることになる。第１に、核磁気共鳴画像化スキャナーの直近にある注射器具への取り付け、従って注射器具の構成は、注射器具がＭＲ室における医療関係者の作業を制限するであろうＭＲ室のどのような床面積も専有しない、ということを意味している。さらにまた、核磁気共鳴画像化スキャナーに取り付けられた注射器具のために必要である空間は、どのような場合でも、核磁気共鳴画像化スキャナーそれ自体のために必要である空間よりもほんのわずか大きいだけである。加えて、注射器具と核磁気共鳴画像化スキャナーとの物理的近接性によって、注射器ヘッドから患者までの供給管の長さは比較的短く、その結果、患者ごとの注射液の必要量が著しく減少する、ということが保証されている。さらにまた、驚くべきことに、核磁気共鳴画像化スキャナーへの注射器具の直接取付が注射器操作の間における画質すなわち走査特性に必ずしも悪影響を及ぼさない、ということがわかった。加えて、核磁気共鳴画像化スキャナーへの注射器具のこのような取り付けは、同スキャナーによって生じた磁界により注射器具の一部が影響を受けおよび／または「引かれる」おそれが減少している、ということを意味している。このことは、磁性材料が遮蔽されているかあるいは注射器具に磁性材料が使用されていないかのいずれかの場合に、特に当てはまる。
【０００５】
注射器ヘッドから患者までの供給管をできるだけ短く維持するためには、注射器ヘッドが核磁気共鳴画像化スキャナーの端部区域に設けられていとともに、位置調整されるかそのトンネル区域に位置調整されることができ、あるいは、同スキャナーの直近にある、核磁気共鳴画像化スキャナーの該トンネル区域の延長部に設けられるように、注射器具を核磁気共鳴画像化スキャナーへ取り付けるか、あるいは、それを核磁気共鳴画像化スキャナーに配置することが特に有利である。
【０００６】
場合によっては、ＭＲＩ検査の間に患者がＭＲＩトンネルの中へまたトンネルから外へ繰り返し動かなければならないため、注射器ヘッドを、それが旋回できるように、とりわけ同ヘッドが核磁気共鳴画像化スキャナーに対して旋回することができるような方式で、設計することは可能である。これによって、注射器ヘッドが必要であるときに注射器ヘッドが患者のごく近くで動くことができ、また、液注射の必要性がないときにはいつも、注射器ヘッドはトンネル区域に近接して外へ旋回することができる、ということが保証されることになる。この状況では、注射器ヘッドを少なくとも実質的に水平に延びている第１旋回軸の周りで好ましくは０〜３６０度の角度範囲で正確に旋回させることができることはとりわけ有利である。核磁気共鳴画像化スキャナーのトンネル長手軸に対して少なくとも実質的に平行に延びている第１旋回軸の周りで旋回する特性によれば、このシステムにおけるあらゆる空気を外へ出すために、注射器ヘッドがノズルとともに患者へ向けてだけでなく上方へも向けてそこに設けられる、ということを保証することができる。
【０００７】
第１旋回軸の周りで旋回する代わりに、しかし、好ましくは第１旋回軸の周りで旋回する特性とともに、注射器ヘッドは、少なくとも実質的に垂直に、正確にはとりわけ９０度を超える角度範囲で延びている第２旋回軸の周りで、好ましくは０〜１８０度の角度範囲で旋回することが可能である。第２旋回軸の周りで旋回する特性によれば、注射器ヘッドが１つの位置において患者へ向かって旋回することができるとともに、他の制限位置で患者から離れるように枢動することができ、また、同スキャナーの端部区域から外側へ旋回することができ、その結果、注射器は、患者台へ載ったり患者台から降りたりする、また、トンネルの中へ移動する患者の邪魔にならない。
【０００８】
詳しく説明すると、この注射器具は、本明細書においていっそう詳しく説明されるように、様々な構成要素および組立体を収容することができる注射器ハウジングを備えている。この注射器ハウジングには、旋回することができるように、ＭＲＩに取り付けられるか、あるいは取り外し可能に取り付けることのできる部分が備わっており、この部分には注射器ヘッドが搭載されている。この場合には、注射器ハウジングの取り外し可能な取付具によれば、必要なときに、例えば修理あるいは保守の目的のために、核磁気共鳴画像化スキャナーに悪影響を及ぼすことなく、注射器具全体を取り外しかつ取り去ることができる、という利点がもたらされる。さらにまた、この取り外し可能な取付具によれば、注射器具を現存する核磁気共鳴画像化スキャナーに後付けすることができる、という利点がもたらされる。
【０００９】
基本的には、注射器具を核磁気共鳴画像化スキャナーに接続するための種々の適切な方法がある。一般に、前記取付具は核磁気共鳴画像化スキャナーの前記ハウジングにどのような損傷も引き起こさないので、いくつかの実施形態では、注射器ハウジングを核磁気共鳴画像化スキャナーに直接あるいは間接的に接着接合するのが好ましいであろう。注射器ハウジングと核磁気共鳴画像化スキャナーとの間に取り外し可能な取付具を実現するために、核磁気共鳴画像化スキャナーに取り付けられ、注射器ハウジングに設けられたさらに別の取付具と相互作用する、好ましくは接着接合される少なくとも１つの取付部品のための、および、取り外し可能な取り付けの目的のための１つの好ましい実施形態がもたらされている。詳しく説明すると、その接続はその後、プラスチック製ブロックあるいはいくつかの他の非磁性材料から構成されて機械加工することのできるブロックが取付部品として使用されるような形態にあり、そのブロックの面の１つは、核磁気共鳴画像化スキャナーにぴったり接することができるように、かつ、そこへ接着接合することができるように、機械加工されている。反対側の側面はその後、少なくとも実質的に垂直に整合されることになる。注射器ハウジングにおけるさらに別の取付部品が備わった取付手段は当該取付部品のこの外面に配置されている。例示として、このことによって、とりわけ取付部品と注射器ハウジングとの間で取り外し可能であるプラグ接続あるいはラッチ接続を実現することが可能となる。さらにまた、注射器ハウジングの外面を核磁気共鳴画像化スキャナーの形状に合致させることができ、それによって、注射器ハウジングを当該スキャナーに直接、接着接合することが可能となる、ということを理解すべきである。
【００１０】
ＭＲＩ検査の間に注射器具が医療関係者の移動区域にできるだけ支障を来たさないことを保証するために、いくつかの実施形態によって、ハウジング部分（ＭＲＩハウジングの側面区域において垂直に延びている）とハウジングアーム（核磁気共鳴画像化スキャナーの端部区域の中へ傾斜しているとともに、そこに取り付けられた注射器ヘッドを有する）とを含む注射器ハウジングがもたらされている。この注射器ハウジングを側面に配置することで、ＭＲＩ検査に先立って、および／または、ＭＲＩ検査の間に、大量の作業および移動が生じる核磁気共鳴画像化スキャナーの端面との干渉が減少することになる。具体的に言えば、いくつかの実施形態では、注射器ヘッドだけがこの区域の中に置かれているが、しかしながら、さらに本明細書において記載されたように、前記区域の範囲外へ旋回可能であることが好ましい。この状況では、垂直に延びている前記ハウジング部分と前記ハウジングアームとの間に水平に延びているハウジング部分が設けられるのが特に有利であると思われ、それによって、垂直に延びている前記ハウジング部分は、核磁気共鳴画像化スキャナーの前方端面からさらに離して配置することが可能となる。
【００１１】
様々な実施形態において、垂直に延びている前記ハウジング部分の長さは、変動することが可能である。このハウジング部分は、核磁気共鳴画像化スキャナーの中心区域の中へ延びていてもよいが、基本的には、核磁気共鳴画像化スキャナーの上方区域の中へ延びていてもよく、それによって、水平に延びている前記ハウジング部分は、前記側面においてあるいは上方から、核磁気共鳴画像化スキャナーの前方端面を越えて動けるようになっている。どのような場合にも、水平に延びている前記ハウジング部分と前記ハウジングアームとの構成については、ある継手（前記第１旋回軸の周りで回転することができる）が注射器ヘッドと該ハウジングアームとの間に設けられていてもよく、また、この継手（前記第２旋回軸の周りでもまた回転することができる）が水平に延びている前記ハウジング部分と前記ハウジングアームとの間にも設けられていてもよい。
【００１２】
本発明のいくつかの実施形態では、注射のための駆動装置が前記注射器ハウジングの中に設けられている。このような実施形態では、その駆動装置を包含している注射器ハウジングの一部は、その駆動装置から生じる画像すなわち走査特性に対する影響と核磁気共鳴画像化スキャナーの操作の間における磁気的吸引のおそれとを最小限にしおよび／または減少させるために、核磁気共鳴画像化スキャナーの側面区域に配置することが可能である。それゆえ、核磁気共鳴画像化スキャナーのこの区域における前記駆動装置の配置は有利であるが、その理由は、磁石によって作られた磁界がこの区域において最も低いからである。この配置によって、磁気的吸引のおそれが著しく減少するとともに、前記駆動装置によって作られた磁界には、どのような場合にも、核磁気共鳴画像化スキャナーの画質に軽微な影響があるだけである。このことは、前記駆動装置が油圧式駆動装置である場合に特に当てはまり、その場合には、電気駆動部品は核磁気共鳴画像化スキャナーの前記側面区域に配置することもでき、また、注射器ヘッドに設けられるノズルは、油圧流体による適切な圧力の付加によって操作することが可能であり、すなわち、その端部には、注射器ヘッドの前記区域にどのような電気駆動手段も設けられていない。このことは別にして、油圧駆動装置の代わりに空気圧駆動装置を設けることもできる、ということは自明である。
【００１３】
前記ハウジングの中に設けられた前記駆動装置によって引き起こされた力およびモーメントが核磁気共鳴画像化スキャナーにできるだけ少ない影響を有する、ということを保証するために、前記注射器ハウジングの前記下方区域に設けられる前記駆動装置については、一方では対策がなされている。これに対して、前記注射器ハウジングについては、取付状態にあるときに地面に立っていることはよい考えであり、それによって、前記駆動装置からの重力が床へ直接導かれることになる。
【００１４】
液管、データ管および／または供給管が注射器具の前記区域の周りに垂れ下がるのを防止するために、本発明の１つの特定改良点によれば、これらの管が注射器ハウジングの中に収容され、また、好ましくは、注射器ヘッドのハウジングの中にも収容され、特に正確に言うと、それらの管が外側から見えないようにして収容されている。
【００１５】
しかしながら、本発明の場合には、この注射器ハウジングによって、前記駆動装置を注射器ハウジングの中に収容することができるという利点がもたらされるだけでなく、少なくとも１つの収容区域もまた、注射される液および／またはノズルのために設けることができる。もちろん他の目的物もまたその中に置くことができるその収容区域は、好ましくは蓋あるいはカバーによって閉鎖することが可能である。
【００１６】
最後に、本発明による注射装置とともに、注射器ヘッドのハウジングおよび／または注射器ハウジングを非磁性材料から構成することが可能である。すべての構成要素を含むこの注射装置の全体は、安全上の要件を満たし、どのような遮蔽も回避し、かつ、画質に悪影響を及ぼすことを回避するために、非磁性材料あるいは磁化することのできない材料から構成されているのが好ましい。
【００１７】
本発明の様々な実施形態がこれまで一般的用語で説明されてきたが、これから、必ずしも一定縮尺で描かれているわけではない添付図面ヘの言及を行うことにする。
【発明を実施するための最良の形態】
【００１８】
本発明は、これ以降は、本発明のいくつかの実施形態における添付図面であって、本発明のすべての実施形態が示されているわけではない添付図面を参照して、十分に説明する。実際、これらの発明は、多くの相異なる形態に具体化することができ、また、本明細書において記載された諸実施形態に限定されるように解釈すべきではなく、どちらかと言えば、これらの実施形態はこの開示が適用される法的要件を満たすために設けられている。全体にわたって、同様の符号は同様の要素を意味している。
【００１９】
図１〜図３は、ＭＲＩシステム１をそれぞれ示しており、このシステムは、核磁気共鳴画像化スキャナー２と、ＭＲＩ検査あるいは他の医療処置の間に少なくとも１種類の液を注射するための注射器具３とを有している。この注射器具３は、この目的のために注射器ヘッド４を備えていてもよい。図示された実施形態では、核磁気共鳴画像化スキャナー２はそれぞれ、患者台６が備わったトンネル５を有している。図１に示された実施形態の場合には、患者７が患者台６の上に載置されている。患者台６は、いくつかの実施形態では、トンネル５の内外へ移動することが可能となっている。
【００２０】
本発明の様々な実施形態は、図示された「閉鎖型」ＭＲＩ器械に制限されない、ということを理解すべきである。開放形態のＭＲＩ器械（すなわち、例えば「開放型ＭＲＩ」）もまた、本発明の様々な実施形態の適用を受けている。一般に、本発明は、閉鎖形態あるいは開放形態にあって、水平な磁界位置調整および垂直な磁界位置調整とともに、垂直な磁界と水平な磁界との間の位置調整が備わった超伝導型、恒久型あるいは抵抗型のすべてのＭＲＩ磁石システムに適用されるものである。このことは別にして、核磁気共鳴画像化スキャナー２が、ＭＲＩ操作のために必要である他の装置とともに、それ自体公知の方法で、磁石およびコイルを有している、ということは自明である。
【００２１】
本発明の様々な実施形態は、ＭＲＩシステムのためだけでなく、ＣＴシステムのために同様のやり方で使用することが可能である、ということをさらに理解すべきである。そのような実施形態では、本明細書において述べられたすべての特徴は核磁気共鳴画像化スキャナーよりもむしろコンピュータ断層撮影用スキャナーに関係がある、ことを理解すべきである。
【００２２】
本明細書の中に示された様々な個別図面からわかるように、注射器ヘッド４は、出口側に２つのノズル８，９を備えており、これらのノズルを介して、一方における造影剤および他方における食塩水のうちの少なくとも１種類を患者へ供給することが可能となっている。この目的のために、ノズル８，９は、Ｙ字状取付具１０および／または様々な中間の可撓性チューブ１１を介してカテーテル１２に接続することができ、このカテーテルを通して、ＭＲＩ検査の間に前記造影剤および／または食塩水を注射することが可能となっている。
【００２３】
本明細書において示されたように、注射器具３は、操作可能に、かつ、取り外しできないようにあるいは取り外しできるように、核磁気共鳴画像化スキャナー２に係合されている。本明細書において説明された様々な実施形態は、注射器ヘッド４が、核磁気共鳴画像化スキャナー２の前方端面１３に隣接して設けられ、かつ、前記トンネル開口の方向に、すなわち核磁気共鳴画像化スキャナーの前記トンネル開口に対して半径方向に、側面から位置調整されるような方式であるいは位置調整することができるような方式でその取り付けおよび配置がもたらされるように、設計されている。図１は注射位置を示しており、図２および図３は注射器ヘッドが使用されていないときの位置を示している。図２では注射器ヘッド４は通気のために上方へ旋回されているが、図３ではその注射器ヘッドは下方へ旋回されている。
【００２４】
注射器ヘッド４が旋回できるようにするために（図１〜図３の比較から明らかなように）、実質的に水平な第１旋回軸Ｘが継手の中に設けられているが、これは詳しくは図示されていない。この旋回軸Ｘは具体的には図５に見ることができる。第１旋回軸Ｘのための継手は、この場合には、注射器ヘッド４が０度から３６０度までの角度範囲において連続的に変化して旋回できるように設計されている。より小さい角度範囲もまた、基本的には可能である。さらにまた、図２および図３に（図６および図７にもまた）示された注射器具３には第２旋回軸Ｙがあり、この旋回軸は第１旋回軸Ｘに対して実質的に直角に延びている。様々な図示の実施形態では、第２旋回軸ＹはＭＲ室の床に対して実質的に垂直に延びている。このことは詳しくは図示されていないが、注射器ヘッド４は、第２旋回軸Ｙの周りに０度から１８０度までの角度範囲で連続的に変化して旋回することが可能となっている。基本的には、注射器具４を核磁気共鳴画像化スキャナー２の側面区域へ旋回させるために、第２旋回軸Ｙの周りに２７０度まで連続的に変化して旋回させることさえ可能である。
【００２５】
旋回できる注射器ヘッド４に加えて、注射器具３は、核磁気共鳴画像化スキャナー２に取り付けられあるいは取り外し可能に取り付けられた注射器ハウジング１４を備えており、このハウジングには、注射器ヘッド４が旋回することができるように搭載されている。核磁気共鳴画像化スキャナー２の外面あるいはハウジングへの損傷を回避するために、注射器ハウジング１４は核磁気共鳴画像化スキャナー２へ接着接合することが可能となっている。図１に全体として示されたこのような実施形態では、注射器ハウジング１４が核磁気共鳴画像化スキャナー２に直接、接着接合されている。このような実施形態では、注射器ハウジング１４は、核磁気共鳴画像化スキャナー２に対向している側面におけるスキャナー２の形状に実質的に合致している形状で設けられていてもよい。これに対して、図２および図３に全体として示された実施形態では、図８および図９により詳しく示された少なくとも１つの取付部品１５を核磁気共鳴画像化スキャナー２に設けられていてもよい。より詳しく説明すると、いくつかの実施形態では、取付部品１５は核磁気共鳴画像化スキャナー２のハウジング１６に接着接合することが可能である。いくつかの実施形態では、取付部品１５は、限定はされないがプラスチック製ブロックからなっていてもよく、そのブロックの後方面１７は、核磁気共鳴画像化スキャナー２のハウジング１６にぴったり接するように、従って、同ハウジングに接着接合することができるように、（必要であれば）機械加工することが可能である。この後方面１７は、前方面１８が基本的に垂直に位置調整されるようなやり方で核磁気共鳴画像化スキャナー２のハウジング１６に実質的に合致すべく、構成されていてもよい。この規定の配置および位置調整によって、取付部品１５と注射器ハウジング１４との間に、ここではラッチ機構あるいはプラグ機構に対応している取り外し可能なラッチ接続部あるいはプラグ接続部を設けることができ、これらの接続部は、詳しくは図示されていないが、取付部品１５に、および、注射器ハウジング１４の対応部分に設けることが可能である。さらにまた、取付部品１５の数および配置は、より大きい実施形態はもとより核磁気共鳴画像化スキャナー２と注射器具３の重量との間におけるそれぞれの関係に左右される、ということを理解すべきである。
【００２６】
本明細書において提示された様々な図面に示されたように、注射器ハウジング１４は、核磁気共鳴画像化スキャナー２の側面区域１９に実質的に垂直に延びているハウジング部分２０を備えていてもよい。さらにまた、注射器ハウジング１４にはハウジングアーム２１がさらに設けられていてもよく、そのアームは、核磁気共鳴画像化スキャナー２の前方端部区域１３の中へ傾斜しており、また、それとともに操作可能に係合された注射器ヘッド４を有している。基本的には、ハウジングアーム２１については、垂直なハウジング部分２０から直接突出することができるが（ハウジングアーム２１の端部に設けられていてもよい）、いくつかの実施形態では、水平に延びているハウジング部分２２が垂直に延びているハウジング部分２０に隣接している。従って、本明細書において提示された図面に示されたように、ハウジングアーム２１は水平に延びているハウジング部分２２に操作可能に係合することが可能である。図１、図４および図５に示された注射器具３の実施形態では、水平に延びているハウジング部分２２が比較的短い形態で示されているのに対し、図２、図３、図６および図７に全体が示されたように、水平ハウジング部分２２は比較的長い形態で設けることも可能である。様々な実施形態では、水平ハウジング部分２２は垂直に延びているハウジング部分２０の長さに実質的に対応する長さに設けられている。このような実施形態では、前記第１旋回軸Ｘは注射器ヘッド４とハウジングアーム２１との間に設けられており、一方、前記第２旋回軸Ｙと、この第２旋回軸Ｙの周りに回転することのできる継手とは、水平に延びているハウジング部分２２とハウジングアーム２１との間に設けられている。
【００２７】
図１０および図１１にはそれぞれＭＲＩシステム１が示されており、このシステムでは、核磁気共鳴画像化スキャナー２と注射器具３とがＭＲ室２３の中に配置されている。制御室２４の中にはシステム制御装置２５が置かれている。両方の事例において、注射器具３は、注射のための関連駆動装置２６を備えている。図１０に示された実施形態と図１１に示された実施形態との相違点は、導光管２７を介してシステム制御によって駆動される駆動装置２６が、図１０に示された実施形態ではＭＲ室２３の中に置かれているのに対し、図１１に示された実施形態では制御室２４の中に置かれている、ことである。しかしながら、システム制御装置２５および駆動装置２６は必ずしも導波管２７を介して接続されている必要がない、ということを理解すべきである。基本的には、システム制御装置２５と駆動装置２６との間に通信を確立するために任意の型の導線を設けることが可能である。
【００２８】
両方の実施形態（すなわち、図１０および図１１に示された実施形態）において、駆動装置２６は油圧式駆動装置２６からなっていてもよく、注射器ヘッドと該駆動装置の中に設けられた機構とは、１つ以上の油圧管２８を介して油圧で駆動されるようになっている。図１０に示されたように、駆動装置２６は、核磁気共鳴画像化スキャナー２の側面区域１９に、また、垂直に延びているハウジング部分２０と平行に配置することが可能である。しかしながら、いくつかの代わりの実施形態では、駆動装置２６は、垂直に延びているハウジング部分２０の中に、また、とりわけその下方部分の中に配置することも可能である。図１０に全体として示された構成の特定の技術的利点は、図１１に示された実施形態と比べて、油圧管２８の長さを著しく減少させることができる、というものである。
【００２９】
他の実施形態では、交流（ＡＣ）供給管２９を駆動装置２６の入力側面へ接続することが可能であり、また、システム制御装置２５を本明細書において述べられた導光管２７によってその入力側面へ接続することができる。信号送信のための導光管３０、油圧管２８および電力供給管３１（例えば直流（ＤＣ））を出力側面に設けることも可能である。
【００３０】
図１０および図１１から一般にわかるように、複数の管が注射器ハウジング１４を通っているが、とりわけ図１〜図７から明らかなように、これらの管は、外側から見ることのできるものでなくてもよいが、注射器ハウジング１４の中に隠れた形態で収容されている。この場合には、図７は注射器ハウジング１４の中に複数の収容区域３２，３３が設けられている、ということを表わしている。収容区域３２，３３のそれぞれは、蓋３４，３５によって開放することができる。この場合には、図７に示された実施形態において、駆動装置２６は電気的駆動装置とともに収容区域３２に置くことが可能であり、収容区域３３はノズル、食塩水および／または造影剤を収容するために使用することが可能である。さらにまた、いくつかの実施形態では、本明細書においてすでに述べられた様々なＡＣ供給管２９、信号送信のための導光管３０、油圧管２８および／または電力供給管３１もまた、収容区域３３を通り抜けることが可能である。
【００３１】
さらにまた、とりわけ、駆動装置２６が注射器ハウジング１４の中に設けられている実施形態の場合には、注射器ハウジング１４の重量が適切に吸収されるように注射器ハウジング１４が床あるいは他の水平台の上に立っていることは、（垂直に延びているハウジング部分２０を備えている）注射器ハウジング１４のために重要である。
【００３２】
本明細書において記載された本発明の多くの変形例および他の実施形態は、これらの発明が先の説明において提示された教示および関連図面の恩典を有することに関係がある当業者が思い浮かべるであろう。それゆえ、本発明は開示された特定の実施形態に限定されることがないこと、また、変形例および他の実施形態は添付の特許請求範囲の範囲内に含まれることが意図されていることを理解すべきである。特定の用語が本明細書において採用されているが、これらの用語は、一般的かつ記述的な意味でだけ使用されており、限定の目的のためには使用されていない。
【図面の簡単な説明】
【００３３】
【図１】本発明の一実施形態による、核磁気共鳴画像化スキャナーとこのスキャナーに取り付けられた注射器具とが備わっているＭＲＩシステムを示す正面側斜視図である。
【図２】本発明の一実施形態によるＭＲＩシステムの代わりの実施形態における、図１に対応した斜視図である。
【図３】本発明の一実施形態によるＭＲＩシステムのさらに代わりの実施形態における、図２に対応した図である。
【図４】本発明の一実施形態による注射器具を示す正面図である。
【図５】本発明の一実施形態による、図４の矢印Ｖの方向から見た、図４の注射器具を示す図である。
【図６】本発明の一実施形態による注射器具の異なる実施形態を示す斜視図である。
【図７】本発明の一実施形態による注射器具の代わりの実施形態を示す図である。
【図８】本発明の一実施形態による取付部品を示す斜視図である。
【図９】本発明の一実施形態による核磁気共鳴画像化スキャナーに取り付けられた取付部品を示す模式図である。
【図１０】ＭＲ室および制御室にある、本発明の一実施形態によるＭＲＩシステムを示す模式図である。
【図１１】本発明の一実施形態によるＭＲＩシステムの代わりの実施形態における、図１０に対応した模式図である。
【符号の説明】
【００３４】
１  ＭＲＩシステム
２  核磁気共鳴画像化スキャナー
３  注射器具
４  注射器ヘッド
５  トンネル
６  患者台
７  患者
８  ノズル
９  ノズル
１０  Ｙ字状取付具
１１  中間の可撓性チューブ
１２  カテーテル
１３  端面
１４  注射器ハウジング
１５  取付部品
１６  ハウジング
１７  後方面
１８  前方面
１９  側面区域
２０  垂直ハウジング部分
２１  ハウジングアーム
２２  水平なハウジング部分
２３  ＭＲ室
２４  制御室
２５  システム制御装置
２６  駆動装置
２７  導光管
２８  油圧管
２９  電力供給管
３０  導光管
３１  電力供給管
３２  収容区域
３３  収容区域
３４  蓋
３５  蓋
Ｘ  第１旋回軸
Ｙ  第２旋回軸
【図１】
2009526623.tif 000003
【図２】
2009526623.tif 000004
【図３】
2009526623.tif 000005
【図４】
2009526623.tif 000006
【図５】
2009526623.tif 000007
【図６】
2009526623.tif 000008
【図７】
2009526623.tif 000009
【図８】
2009526623.tif 000010
【図９】
2009526623.tif 000011
【図１０】
2009526623.tif 000012
【図１１】
2009526623.tif 000013
【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
核磁気共鳴画像化スキャナー（２）を有するとともに、ＭＲＩ検査の間に少なくとも１種類の液を注射するための注射器ヘッド（４）を備える注射器具（３）を有し、
注射器具（３）は、核磁気共鳴画像化スキャナー（２）の側面区域（１９）に取り付けられているかあるいは取り外し可能に取り付けられており、
注射器ヘッド（４）は、該注射器ヘッド（４）が少なくとも第１旋回軸（Ｘ）とこの第１旋回軸（Ｘ）に対して実質的に垂直に延びている第２旋回軸（Ｙ）との周りに核磁気共鳴画像化スキャナー（２）に対して旋回することが可能なように、核磁気共鳴画像化スキャナー（２）に取り付けられている、ＭＲＩシステム（１）。
【請求項２】
注射器具（３）は、注射器ヘッド（４）が、核磁気共鳴画像化スキャナー（２）の端部に設けられるように、かつ、核磁気共鳴画像化スキャナー（２）に画定されたトンネル開口に対して少なくとも実質的に半径方向に位置調整されているかあるいは位置調整することができるように、核磁気共鳴画像化スキャナー（２）に取り付けられて配置されている、請求項１に記載の医療用画像化システム。
【請求項３】
注射器ヘッド（４）は、核磁気共鳴画像化スキャナー（２）に対して旋回することが可能となっている、請求項１または２に記載の医療用画像化システム。
【請求項４】
注射器ヘッド（４）は、少なくとも実質的に水平に延びている第１旋回軸（Ｘ）の周りに、および／または、少なくとも実質的に垂直に延びている第２旋回軸（Ｙ）の周りに旋回することが可能となっている、先行する請求項の一項に記載の医療用画像化システム。
【請求項５】
注射器ヘッド（４）は、第１旋回軸（Ｘ）の周りに０度〜３６０度の角度範囲で、かつ、第２旋回軸（Ｙ）の周りに９０度を超える角度範囲で、特に０度〜１８０度の角度範囲で旋回することが可能となっている、先行する請求項の一項に記載の医療用画像化システム。
【請求項６】
注射器具（３）は、核磁気共鳴画像化スキャナー（２）に取り付けられ、あるいは取り外し可能に取り付けられた注射器ハウジング（１４）を備えている、先行する請求項の一項に記載の医療用画像化システム。
【請求項７】
注射器具（３）は、核磁気共鳴画像化スキャナー（２）に接着接合されている、先行する請求項の一項に記載の医療用画像化システム。
【請求項８】
少なくとも１つの取付部品（１５）が、核磁気共鳴画像化スキャナー（２）に取り付けられており、好ましくは接着接合されており、かつ、取り外し可能な取付の目的のために、注射器ハウジング（１４）に設けられたさらに別の取付部品と相互作用するようになっている、先行する請求項の一項に記載の医療用画像化システム。
【請求項９】
取付部品（１５）およびさらに別の取付部品は、プラグ接続および／またはラッチ接続を形成するために協働している、先行する請求項の一項に記載の医療用画像化システム。
【請求項１０】
取付部品（１５）が、ＭＲＩの端部で機械加工することができるプラスチック製ブロックおよび／または非磁性材料から構成されたブロックからなっている、先行する請求項の一項に記載の医療用画像化システム。
【請求項１１】
注射器ハウジング（１４）は、核磁気共鳴画像化スキャナー（２）の側面区域（１９）において垂直に延びているハウジング部分（２０）と、核磁気共鳴画像化スキャナー（２）の端面（１３）の区域の中へ傾斜しているハウジングアーム（２１）とを備え、注射器ヘッド（４）は、ハウジングアーム（２１）に操作可能に係合している、先行する請求項の一項に記載の医療用画像化システム。
【請求項１２】
垂直に延びているハウジング部分（２０）とハウジングアーム（２１）との間には、水平に延びているハウジング部分（２２）が設けられている、先行する請求項の一項に記載の医療用画像化システム。
【請求項１３】
注射器ヘッド（４）とハウジングアーム（２１）との間に配置されて第１旋回軸（Ｘ）の周りに旋回するために構成された第１継手、および／または、水平に延びているハウジング部分（２２）とハウジングアーム（２１）との間に配置されて第２旋回軸（Ｙ）の周りに旋回するための第２継手をさらに備えている、先行する請求項の一項に記載の医療用画像化システム。
【請求項１４】
注射のための駆動装置（２６）が注射器ハウジング（１４）の中に収容されているとともに、該駆動装置（２６）を収容する注射器ハウジング（１４）の一部が核磁気共鳴画像化スキャナー（２）の側面区域に配置されている、先行する請求項の一項に記載の医療用画像化システム。
【請求項１５】
駆動装置（２６）は、油圧駆動装置および空気圧駆動装置のうちの少なくとも１つからなっている、先行する請求項の一項に記載の医療用画像化システム。
【請求項１６】
駆動装置（２６）は、注射器ハウジング（１４）の下方区域に配置されているとともに、注射器ハウジング（１４）は好ましくは、取付状態にあるときに床の上に立っている、先行する請求項の一項に記載の医療用画像化システム。
【請求項１７】
複数の液管および／または供給管が、実質的に注射器ハウジング（１４）の内部に、および／または、実質的に注射器ヘッド（４）のハウジングの内部に配置されている、先行する請求項の一項に記載の医療用画像化システム。
【請求項１８】
注射される液および／またはノズルのための少なくとも１つの収容区域（３２，３３）が注射器ハウジング（１４）の中に設けられている、先行する請求項の一項に記載の医療用画像化システム。
【請求項１９】
収容区域（３２，３３）は、閉鎖可能な蓋（３４，３５）を備えている、先行する請求項の一項に記載の医療用画像化システム。
【請求項２０】
注射器ヘッド（４）のハウジングおよび注射器ハウジング（１４）は、非磁性材料から構成されている、先行する請求項の一項に記載の医療用画像化システム。
【国際調査報告】
2009526623.tif 000014
2009526623.tif 000015
2009526623.tif 000016